【手続補正書】
【提出日】平成17年8月1日(2005.8.1)
【手続補正１】
【補正対象書類名】明細書
【補正対象項目名】特許請求の範囲
【補正方法】変更
【補正の内容】
【特許請求の範囲】
【請求項１】
放送エリア内において番組を受信可能に構成される受信装置と通信可能な送信装置であって、
前記受信装置の現在位置を示す位置情報を受信する受信部と、
所定の放送エリアにおける放送チャネル、放送時間帯及び番組タイトルを少なくとも含む放送番組データベースを蓄積する番組ＤＢ蓄積部と、
前記位置情報と前記放送番組データベースとに基づいて、各時間帯毎に１つの番組を選択し、選択した番組を使って個人番組表を作成する作成部と、
前記個人番組表を前記受信装置に送信する送信部とを備える、送信装置。
【請求項２】
前記受信装置のユーザ情報を含む個人情報データベースを蓄積する個人情報ＤＢ蓄積部をさらに備え、
前記作成部は、前記位置情報と前記放送番組データベースと前記ユーザ情報とに基づいて、各時間帯毎に１つの番組を選択し、選択した番組を使って個人番組表を作成する、請求項１に記載の送信装置。
【請求項３】
前記個人情報ＤＢ蓄積部は、優先度情報をさらに蓄積しており、
前記作成部は、前記優先度情報に従って、各時間帯毎に前記選択された番組とは異なる別の番組をさらに選択し、選択した複数の番組を使って個人番組表を作成する、請求項２に記載の送信装置。
【請求項４】
前記優先度情報は、放送番組のジャンル毎に割り当てられる、請求項３に記載の送信装置。
【請求項５】
前記位置情報に基づいて、前記受信装置が、ある放送エリアから他の放送エリアに移動したか否かを判定する第１の判定部をさらに備え、
前記作成部は、前記第１の判定部によって前記受信装置が放送エリア間を移動したと判定された場合に、前記個人番組表を作成する、請求項１に記載の送信装置。
【請求項６】
前記位置情報に基づいて、前記受信装置が、ある放送エリアから他の放送エリアに移動したか否かを判定する第１の判定部をさらに備え、
前記受信部は、さらに、前記受信装置で作成される視聴予約又は録画予約された番組を特定する予約番組情報である番組の放送チャネル及び番組コードを受信し、
前記作成部は、前記第１の判定部によって前記受信装置が放送エリア間を移動したと判定された場合に、前記位置情報と前記放送番組データベースとに基づいて、前記予約番組情報の修正が必要であることを示す告知データを作成し、
前記送信部は、前記告知データを前記受信装置に送信する、請求項１に記載の送信装置。
【請求項７】
前記告知データは、前記他の放送エリアにおいて視聴予約又は録画予約された番組の放送チャネルをさらに含む、請求項６に記載の送信装置。
【請求項８】
前記告知データは、前記他の放送エリアにおいて視聴予約又は録画予約された番組の放送開始時刻及び放送終了時刻をさらに含む、請求項７に記載の送信装置。
【請求項９】
前記受信部は、さらに、前記受信装置で作成される視聴予約又は録画予約された番組を特定する予約番組情報である番組の放送チャネル及び番組コードを受信し、
前記位置情報に基づいて、前記受信装置が、ある放送エリアから他の放送エリアに移動したか否かを判定する第１の判定部と、
前記第１の判定部によって前記受信装置が放送エリア間を移動したと判定された場合に、前記他の放送エリアにおいて、前記番組コードで特定される番組が放送されるか否かを判定する第２の判定部とをさらに備え、
前記作成部は、前記第２の判定部によって前記他の放送エリアにおいて同一番組が放送されないと判定された場合に、前記視聴予約又は録画予約された番組の代わりとなる代替番組の放送開始時刻及び放送終了時刻を含む告知データを作成する、請求項１に記載の送信装置。
【請求項１０】
前記受信部は、さらに、前記受信装置で作成される視聴予約又は録画予約された番組を特定する予約番組情報である番組の放送チャネル及び番組コードを受信し、
前記位置情報に基づいて、前記受信装置が、ある放送エリアから他の放送エリアに移動したか否かを判定する第１の判定部と、
前記第１の判定部によって前記受信装置が放送エリア間を移動したと判定された場合に、前記他の放送エリアにおいて、前記番組コードで特定される番組が放送されるか否かを判定する第２の判定部とをさらに備え、
前記作成部は、前記第２の判定部によって前記他の放送エリアにおいて同一番組が放送されないと判定された場合に、前記視聴予約又は録画予約された番組の放送チャネル、番組コード、放送開始時刻及び放送終了時刻を含むコマンドを作成し、
前記送信部は、前記コマンドを外部の据え置き型録画装置に送信する、請求項１に記載の送信装置。
【請求項１１】
放送エリア内において番組を受信可能に構成される受信装置にデータを送信する送信方法であって、
前記受信装置の現在位置を示す位置情報を受信するステップと、
前記位置情報と、所定の放送エリアにおける放送チャネル、放送時間帯及び番組タイトルを少なくとも含む放送番組データベースとに基づいて、各時間帯毎に１つの番組を選択するステップと、
前記選択した番組を使って個人番組表を作成するステップと、
前記個人番組表を前記受信装置に送信するステップとを備える、送信方法。
【手続補正２】
【補正対象書類名】明細書
【補正対象項目名】０００８
【補正方法】変更
【補正の内容】
【０００８】
【課題を解決するための手段】
上記目的を達成するために、本願の第１の発明は、放送エリア内において番組を受信可能に構成される受信装置と通信可能な送信装置であって、受信装置の現在位置を示す位置情報を受信する受信部と、所定の放送エリアにおける放送チャネル、放送時間帯及び番組タイトルを少なくとも含む放送番組データベースを蓄積する番組ＤＢ蓄積部と、位置情報と放送番組データベースとに基づいて、各時間帯毎に１つの番組を選択し、選択した番組を使って個人番組表を作成する作成部と、個人番組表を受信装置に送信する送信部とを備える。
【手続補正３】
【補正対象書類名】明細書
【補正対象項目名】０００９
【補正方法】変更
【補正の内容】
【０００９】
第２の発明は、第１の発明に従属しており、受信装置のユーザ情報を含む個人情報データベースを蓄積する個人情報ＤＢ蓄積部をさらに備え、作成部は、位置情報と放送番組データベースとユーザ情報とに基づいて、各時間帯毎に１つの番組を選択し、選択した番組を使って個人番組表を作成する。
【手続補正４】
【補正対象書類名】明細書
【補正対象項目名】００１０
【補正方法】変更
【補正の内容】
【００１０】
第３の発明は、第２の発明に従属しており、個人情報ＤＢ蓄積部は、優先度情報をさらに蓄積しており、作成部は、優先度情報に従って、各時間帯毎に選択された番組とは異なる別の番組をさらに選択し、選択した複数の番組を使って個人番組表を作成する。
【手続補正５】
【補正対象書類名】明細書
【補正対象項目名】００１１
【補正方法】変更
【補正の内容】
【００１１】
第４の発明は、第３の発明に従属しており、優先度情報は、放送番組のジャンル毎に割り当てられる。
【手続補正６】
【補正対象書類名】明細書
【補正対象項目名】００１２
【補正方法】変更
【補正の内容】
【００１２】
第５の発明は、第１の発明に従属しており、位置情報に基づいて、受信装置が、ある放送エリアから他の放送エリアに移動したか否かを判定する第１の判定部をさらに備え、作成部は、第１の判定部によって受信装置が放送エリア間を移動したと判定された場合に、個人番組表を作成する。
【手続補正７】
【補正対象書類名】明細書
【補正対象項目名】００１３
【補正方法】変更
【補正の内容】
【００１３】
第６の発明は、第１の発明に従属しており、位置情報に基づいて、受信装置が、ある放送エリアから他の放送エリアに移動したか否かを判定する第１の判定部をさらに備え、受信部は、さらに、受信装置で作成される視聴予約又は録画予約された番組を特定する予約番組情報である番組の放送チャネル及び番組コードを受信し、作成部は、第１の判定部によって受信装置が放送エリア間を移動したと判定された場合に、位置情報と放送番組データベースとに基づいて、予約番組情報の修正が必要であることを示す告知データを作成し、送信部は、告知データを受信装置に送信する。
【手続補正８】
【補正対象書類名】明細書
【補正対象項目名】００１４
【補正方法】変更
【補正の内容】
【００１４】
第７の発明は、第６の発明に従属しており、告知データは、他の放送エリアにおいて視聴予約又は録画予約された番組の放送チャネルをさらに含む。
【手続補正９】
【補正対象書類名】明細書
【補正対象項目名】００１５
【補正方法】変更
【補正の内容】
【００１５】
第８の発明は、第７の発明に従属しており、告知データは、他の放送エリアにおいて視聴予約又は録画予約された番組の放送開始時刻及び放送終了時刻をさらに含む。
【手続補正１０】
【補正対象書類名】明細書
【補正対象項目名】００１６
【補正方法】変更
【補正の内容】
【００１６】
第９の発明は、第１の発明に従属しており、受信部は、さらに、受信装置で作成される視聴予約又は録画予約された番組を特定する予約番組情報である番組の放送チャネル及び番組コードを受信し、位置情報に基づいて、受信装置が、ある放送エリアから他の放送エリアに移動したか否かを判定する第１の判定部と、第１の判定部によって受信装置が放送エリア間を移動したと判定された場合に、他の放送エリアにおいて、番組コードで特定される番組が放送されるか否かを判定する第２の判定部とをさらに備え、作成部は、第２の判定部によって他の放送エリアにおいて同一番組が放送されないと判定された場合に、視聴予約又は録画予約された番組の代わりとなる代替番組の放送開始時刻及び放送終了時刻を含む告知データを作成する。
【手続補正１１】
【補正対象書類名】明細書
【補正対象項目名】００１７
【補正方法】変更
【補正の内容】
【００１７】
第１０の発明は、第１の発明に従属しており、受信部は、さらに、受信装置で作成される視聴予約又は録画予約された番組を特定する予約番組情報である番組の放送チャネル及び番組コードを受信し、位置情報に基づいて、受信装置が、ある放送エリアから他の放送エリアに移動したか否かを判定する第１の判定部と、第１の判定部によって受信装置が放送エリア間を移動したと判定された場合に、他の放送エリアにおいて、番組コードで特定される番組が放送されるか否かを判定する第２の判定部とをさらに備え、作成部は、第２の判定部によって他の放送エリアにおいて同一番組が放送されないと判定された場合に、視聴予約又は録画予約された番組の放送チャネル、番組コード、放送開始時刻及び放送終了時刻を含むコマンドを作成し、送信部は、コマンドを外部の据え置き型録画装置に送信する。
【手続補正１２】
【補正対象書類名】明細書
【補正対象項目名】００１８
【補正方法】変更
【補正の内容】
【００１８】
第１１の発明は、放送エリア内において番組を受信可能に構成される受信装置にデータを送信する送信方法であって、受信装置の現在位置を示す位置情報を受信するステップと、位置情報と、所定の放送エリアにおける放送チャネル、放送時間帯及び番組タイトルを少なくとも含む放送番組データベースとに基づいて、各時間帯毎に１つの番組を選択するステップと、選択した番組を使って個人番組表を作成するステップと、個人番組表を受信装置に送信するステップとを備える。
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００５３
【補正方法】変更
【補正の内容】
【００５３】
送信装置２において、送受信部２１は、移動体通信網５から判定要求ＲD を受信した後、受信判定要求ＲD を作業領域２６に格納する。プロセッサ２５は、プログラムメモリ２４内のコンピュータプログラム２７を実行しており、作業領域２６内に判定要求ＲD が格納されると、図１０のフローチャートに示される処理を開始する。
【手続補正１７】
【補正対象書類名】明細書
【補正対象項目名】００５４
【補正方法】変更
【補正の内容】
【００５４】
まず、プロセッサ２５は、作業領域２６内の判定要求ＲD から、位置情報ＣＰ1 又はＣＰ2 と、放送チャネルＣＨ1 又はＣＨ2 と、番組コードＰＣ1 〜ＰＣ5 のいずれかを取り出す（ステップＳ２１）。上記仮定下では、判定要求ＲD は、位置情報ＣＰ2 と放送チャネルＣＨ1 と番組コードＰＣ1 とを含んでいるので、ステップＳ２１において、それらが及び取り出される。
【手続補正１８】
【補正対象書類名】明細書
【補正対象項目名】００５５
【補正方法】変更
【補正の内容】
【００５５】
次に、プロセッサ２５は、受信装置１が対象予約番組レコードＲRPを作成した時に位置していたエリア（以下、作成エリアと称する）Ａと、現在位置するエリア（現エリアと称する）Ａとが一致するか否かを判定する（ステップＳ２２）。そのために、プロセッサ２５はまず、ステップＳ２１で取得した放送チャネルＣＨ1 又はＣＨ2 から、受信装置１が対象予約番組レコードＲRPを作成した時に位置していたエリアＡ1 又はＡ2 を特定する。ここで、放送チャネルＣＨ1 はエリアＡ1 をカバーし、放送チャネルＣＨ2 はエリアＡ2 をカバーすることは既知である。従って、対象予約番組レコードＲRPの放送チャネルＣＨ1 又はＣＨ2 から、プロセッサ２５は、作成エリアＡがエリアＡ1 であるかエリアＡ2 であるかを容易に特定できる。さらに、エリアＡ1 及びＡ2 がカバーする範囲も既知であるから、ステップＳ２１で取得した位置情報ＣＰ1 又はＣＰ2 から、現エリアＡがエリアＡ1 であるかエリアＡ2 であるかを容易に特定できる。
【手続補正１９】
【補正対象書類名】明細書
【補正対象項目名】００５７
【補正方法】変更
【補正の内容】
【００５７】
上記仮定下では、作成エリアＡはエリアＡ1 であり、現エリアＡはエリアＡ2 である。従って、ステップＳ２２では、両エリアＡは一致しないと判断される。このような場合、プロセッサ２５は、対象予約番組レコードＲRPで特定される番組Ｐ（つまり、番組Ｐ1 〜Ｐ5 のいずれか）が現在時刻以降に現エリアＡで放送されるか否かを判定する（ステップＳ２３）。より具体的には、プロセッサ２５は、番組ＤＢ蓄積部２３にアクセスして、現エリアＡの放送局３1 又は３2 の放送局レコードＲBS1 又はＲBS2 の中に、ステップＳ２１で取得した番組コードＰＣ1 〜ＰＣ5 のいずれかと、現在時刻以降の時間帯ＴＰ1 〜ＴＰ3 との組みが存在するか否かを判定する。このような組みを見つけることができれば、視聴予約番組Ｐが現在時刻以降に現エリアＡで放送されることが、プロセッサ２５は分かる。
【手続補正２０】
【補正対象書類名】明細書
【補正対象項目名】００５８
【補正方法】変更
【補正の内容】
【００５８】
上記仮定下では、ステップＳ２３において、放送局レコードＲBS2 が検索され、この中には、現在時刻以降の時間帯ＴＰ3 及び、ステップＳ２１で取得した番組コードＰＣ1 が記述されているため、プロセッサ２５は、ＹＥＳと判定する。このように判定した場合、プロセッサ２５は、告知データＤWP及び／又は告知データＤWAを作業領域２６上で作成する（ステップＳ２４）。本ステップで生成される告知データＤWAは、図１１の上段に示すように、上述の警告メッセージに加えて、現エリアＡで同一番組Ｐが放送予定であることを示す番組通知を表すテキストデータ又は画像データを含む。また、本ステップで生成される告知データＤWAは、上述の警告メッセージに加えて、上述の番組通知を示す音声データを含む。
【手続補正２１】
【補正対象書類名】明細書
【補正対象項目名】００８５
【補正方法】変更
【補正の内容】
【００８５】
ところで、ユーザは、図１５に示すように、通信網４にアクセス可能な据え置き型の録画装置６０を有している場合がある。また、このような録画装置６０は基本的に、複数のエリアＡを移動することはない。このような場合、ステップＳ２３で同一番組Ｐが無いと判断した場合、送信装置１は、録画装置６０に向けて、ステップＳ１１で選択された予約番組レコードＲRPで特定される番組Ｐを録画するためのコマンドＣRRを生成し、通信網４を介して送信しても良い。
【手続補正２２】
【補正対象書類名】明細書
【補正対象項目名】００８６
【補正方法】変更
【補正の内容】
【００８６】
また、以上の実施形態では、ユーザは、入力装置１１２を操作して、視聴予約を指定し、さらに、番組表ＰＧ1 を参照しながら、放送局３1 により送信される番組Ｐ1 の番組コードＰＣ1 を指定する。これら指定に応答して、プロセッサ１１６は、予約番組レコードＲRPを作成して、予約蓄積部１１３に格納していた。しかし、これに限らず、受信装置１は、作成した予約番組レコードＲRPを送信装置２に送信し、送信装置２が各予約番組レコードＲRPを管理するようにしても良い。この場合、送信装置２は、視聴予約又は録画予約された番組の放送開始時刻の所定時間前になると、対象となる予約番組レコードＲRPを受信装置１に送信する。ここで、上述のように、通信網４にアクセス可能な録画装置６０をユーザが有している場合には、送信装置２は、予約番組レコードＲRPで特定される番組Ｐの内容に応じて、予約番組レコードＲRPを受信装置１に送信するか、上述のコマンドＣRRを録画装置６０に送信するようにしても良い。例えば、映画のように高精細の画面で観るような番組Ｐに関しては、送信装置２は、上述のコマンドＣRRを作成して録画装置６０に送信し、ニュースのように高精細な画面で観る必要性が乏しいものに関しては、上述の予約番組レコードＲRPを受信装置１に送信する。
【手続補正２３】
【補正対象書類名】明細書
【補正対象項目名】０１２１
【補正方法】変更
【補正の内容】
【０１２１】
番組ＤＢ蓄積部２３は、制御部２２により生成される番組ＤＢ７６を格納する。番組ＤＢ７６は、受信番組表ＰＧ1 〜ＰＧ4 （図２１参照）から作成され、図２６に示すように、エリア数に相当する数のエリアレコードＲARの一例として、エリアレコードＲAR1 及びＲAR2 とから構成される。エリアレコードＲAR1 は、エリアＡ1 をカバーする放送局８1 及び８2 の番組表ＰＧ1 及びＰＧ2 から作成され、時刻Ｔ毎に、放送チャネルＣＨ1 で放送される番組Ｐ1 〜Ｐ3 及び、放送チャネルＣＨ2 で放送される番組Ｐ4 〜Ｐ5 を特定する。また、エリアレコードＲAR2 は、エリアＡ2 をカバーする放送局８3 及び８4 の番組表ＰＧ3 及びＰＧ4 から作成され、時刻Ｔ毎に、放送チャネルＣＨ3 で放送される番組Ｐ6 、Ｐ7 及びＰ1 及び、放送チャネルＣＨ4 で放送される番組Ｐ8 及びＰ9 を特定する。
【手続補正２４】
【補正対象書類名】明細書
【補正対象項目名】０１３３
【補正方法】変更
【補正の内容】
【０１３３】
次に、プロセッサ６３は、作業領域６４内の番組表ＵＰＧ1 又はＵＰＧ2 を、画像切替え部１４に転送する（ステップＳ３８）。その結果、番組表ＵＰＧ1 又はＵＰＧ2 は、画像切替え部１４を介して、表示装置１５に入力される。表示装置１５は、図２８に示すように、受信した個人番組表ＵＰＧ1 又はＵＰＧ2 を表示する。
【手続補正２５】
【補正対象書類名】明細書
【補正対象項目名】０１７０
【補正方法】変更
【補正の内容】
【０１７０】
番組選択部２００８は、ステップＳ１００８において番組視聴優先度ＰＬが０になるまで、ステップＳ１００２〜Ｓ１００８を繰り返し実行する。その結果、図４２に示すように、１時間帯ＴＰに、複数の放送チャネルＣＨで放送される番組Ｐから、ユーザの好きなジャンルＰＹに基づいて選択された１つの番組が配置された個人番組表ＵＰＧが作成される。作成された個人番組表ＵＰＧは、番組表送信部２０１１を介して通信制御部２００４から移動体通信網１０５に送出される。以上の図４０の処理は、第２の実施形態におけるステップＳ４４に応用されても良い。
【手続補正２６】
【補正対象書類名】明細書
【補正対象項目名】０１７５
【補正方法】変更
【補正の内容】
【０１７５】
以上のような個人番組表ＵＰＧを参照してユーザがある番組Ｐを予約視聴する場合、ユーザは、キー入力部１０１４のキーを操作して、視聴予約の対象となる番組Ｐを選択する。このような操作により、図４７に示すような、視聴予約又は録画予約を特定する予約種別ＲＴ、番組コードＰＣ、チャネルコードＣＣ、番組タイトルＰＴ、放送開始時刻ＳＴ及び放送終了時刻ＥＴで構成される予約番組情報ＩRPが作成され、メモリ１０１２に記憶されると共に、放送開始時刻ＳＴから、予め定められた準備時間を差し引いた動作開始時刻ＡＳＴが時計１０１５に設定される。ここで、準備時間とは、スタンバイ状態の受信装置１０１がチューナ１００２及びビデオ再生部１００７等、番組受信に必要な構成の電源をＯＮにして、番組受信が可能になるまでの待ち時間である。
【手続補正２７】
【補正対象書類名】明細書
【補正対象項目名】０２０８
【補正方法】変更
【補正の内容】
【０２０８】
【発明の効果】
本発明によれば、送信装置は、受信装置からの位置情報に基づいて、告知データ又は個人番組表を作成するので、受信装置が複数の放送エリア間を移動可能な場合であっても、放送番組の視聴予約又は録画予約を正しく行え、若しくは正しい放送番組表を表示可能になる。
【手続補正２８】
【補正対象書類名】明細書
【補正対象項目名】０２０９
【補正方法】変更
【補正の内容】
【０２０９】
また、本発明によれば、受信装置の位置情報及び、視聴予約又は録画予約の対象となる番組の放送に使われる放送チャネルを使うことにより、送信装置は、受信装置が視聴予約又は録画予約した際の位置と現在位置とが一致するか否かを判定することができるので、適切な告知データ又は適切な個人番組表を必要な場合に作成し送信することができる。
【手続補正２９】
【補正対象書類名】明細書
【補正対象項目名】０２１０
【補正方法】変更
【補正の内容】
【０２１０】
また、本発明によれば、送信装置は、視聴予約又は録画予約された番組が移動後の他のエリアでも放送されている場合に、他のエリアにおける放送チャネルを受信装置に告知できる。これによって、受信装置側では、より簡単に、視聴予約又は録画予約の修正を行うことが可能となる。
【手続補正３０】
【補正対象書類名】明細書
【補正対象項目名】０２１１
【補正方法】変更
【補正の内容】
【０２１１】
また、本発明によれば、送信装置は、視聴予約又は録画予約された番組が移動後の他のエリアでも放送されている場合に、他のエリアにおける放送チャネル、放送開始時刻及び放送終了時刻を受信装置に告知できる。これによって、受信装置側では、より簡単に、視聴予約又は録画予約の修正を行うことが可能となる。
【手続補正３１】
【補正対象書類名】明細書
【補正対象項目名】０２１２
【補正方法】変更
【補正の内容】
【０２１２】
また、本発明によれば、送信装置は、据え置き型の録画装置に、録画予約のコマンドを送信するので、受信装置のユーザは、視聴予約又は録画予約された番組が移動後の他のエリアでも放送されていない場合でも、録画装置を使って、自分が観たい番組を観ることが可能となる。
【手続補正３２】
【補正対象書類名】明細書
【補正対象項目名】０２１３
【補正方法】変更
【補正の内容】
【０２１３】
また、本発明によれば、送信装置は、視聴予約又は録画予約された番組が移動後の他のエリアでも放送されていない場合には、代替番組を受信装置に告知できるので、受信装置のユーザは、別の番組を探す必要がなくなる。
【手続補正３３】
【補正対象書類名】明細書
【補正対象項目名】０２１４
【補正方法】変更
【補正の内容】
【０２１４】
また、本発明によれば、送信装置は、各時間帯毎に１つの番組が記載された個人番組表を送信する。ハードウェア性能に制限のある受信装置に適した個人番組表を作成することが可能となる。
【手続補正３４】
【補正対象書類名】明細書
【補正対象項目名】０２１５
【補正方法】変更
【補正の内容】
【０２１５】
また、本発明によれば、送信装置は、ユーザの個人情報を参照して個人番組表を作成するので、ユーザの好みに適した個人番組表を作成することが可能となる。
【手続補正３５】
【補正対象書類名】明細書
【補正対象項目名】０２１６
【補正方法】変更
【補正の内容】
【０２１６】
また、本発明によれば、送信装置は、各時間帯毎に複数の番組の番組を選択するので、より使い勝手の良い個人番組表を作成することが可能となる。
【手続補正３６】
【補正対象書類名】明細書
【補正対象項目名】０２１７
【補正方法】変更
【補正の内容】
【０２１７】
また、本発明によれば、送信装置は、予め定められる優先度に従って番組を選択するので、よりユーザの好みに適した個人番組表を作成することが可能となる。
【手続補正３７】
【補正対象書類名】明細書
【補正対象項目名】０２１８
【補正方法】変更
【補正の内容】
【０２１８】
また、本発明によれば、受信装置は、自身の現在位置を特定する位置情報を送信装置に送信するので、現在位置に適した告知データ又は個人番組表を受信することが可能となる。
【手続補正３８】
【補正対象書類名】明細書
【補正対象項目名】０２１９
【補正方法】変更
【補正の内容】
【０２１９】
また、本発明によれば、受信装置は、視聴予約又は録画予約した番組の放送チャネルをさらに送信するので、視聴予約又は録画予約した時と現在位置が異なる場合に告知データ又は個人番組表を受信することが可能となる。これによって、送信装置との通信回数を減らすことが可能となる。
【手続補正３９】
【補正対象書類名】明細書
【補正対象項目名】０２２０
【補正方法】変更
【補正の内容】
【０２２０】
また、本発明によれば、請求項１に係る発明と同様に、受信装置は、複数の放送エリア間を移動可能な場合であっても、放送番組の視聴予約又は録画予約を正しく行え、若しくは正しい放送番組表を表示可能になる。
【手続補正４０】
【補正対象書類名】明細書
【補正対象項目名】０２２１
【補正方法】変更
【補正の内容】
【０２２１】
また、本発明によれば、請求項１１に係る発明と同様に、現在位置に適した告知データ又は個人番組表を受信装置は受信することが可能となる。
【手続補正４１】
【補正対象書類名】明細書
【補正対象項目名】図１５
【補正方法】変更
【補正の内容】
【図１５】
図１の送信装置１から録画装置６０に向けて送信されるコマンドＣRRを示す模式図である。
【手続補正４２】
【補正対象書類名】明細書
【補正対象項目名】図２８
【補正方法】変更
【補正の内容】
【図２８】
図２２の表示装置１５により表示される個人番組表ＵＰＧ1 又はＵＰＧ2 を示す模式図である。
【手続補正４３】
【補正対象書類名】図面
【補正対象項目名】図１５
【補正方法】変更
【補正の内容】
【図１５】
2003189267.tif 000001
【手続補正４４】
【補正対象書類名】図面
【補正対象項目名】図２８
【補正方法】変更
【補正の内容】
【図２８】
2003189267.tif 000002
【手続補正４５】
【補正対象書類名】図面
【補正対象項目名】図４１
【補正方法】変更
【補正の内容】
【図４１】
2003189267.tif 000003
【手続補正４６】
【補正対象書類名】図面
【補正対象項目名】図５０
【補正方法】変更
【補正の内容】
【図５０】
2003189267.tif 000004
【手続補正４７】
【補正対象書類名】図面
【補正対象項目名】図５３
【補正方法】変更
【補正の内容】
【図５３】
2003189267.tif 000005
【手続補正４８】
【補正対象書類名】図面
【補正対象項目名】図５６
【補正方法】変更
【補正の内容】
【図５６】
2003189267.tif 000006